(57)【要約】【課題】  再生中の画像がどのような場所でどのように移動しながら撮影されたのか認識する。【解決手段】  撮影時の位置情報を持った動画データを再生する際に、位置情報をもとに軌跡情報を作成して画面上に撮影時の軌跡画像を表示する。【選択図】          図４
2005236374.tif 000002
【特許請求の範囲】
【請求項１】
撮影時の位置情報を持った動画データを再生する装置において、位置情報をもとに軌跡情報を作成して画面上に撮影時の軌跡画像を表示することを特徴とする再生装置。
【請求項２】
請求項１において、軌跡画面を再生画面上の一部の領域に表示することを特徴とする再生装置。
【請求項３】
請求項１において、軌跡画面を再生画面上に半透明にして表示することを特徴とする再生装置。
【請求項４】
請求項１において、軌跡画面を再生画面上に合成にして表示することを特徴とする再生装置。
【請求項５】
請求項１において、再生画面と軌跡画面を切り替えて表示することを特徴とする再生装置。
【請求項６】
請求項１において、動画再生時に再生している場所を軌跡上の点に対応した点を表示することを特徴とする再生装置。
【請求項７】
請求項６において、動画を静止させた時に、動画を静止させた場所に対応した軌跡上の点を表示することを特徴とする再生装置。
【請求項８】
請求項６において、動画再生中に表示されている動画再生に対応した軌跡上の点を移動させる手段をもっていて、その軌跡上の点を移動させるとその移動させた点に対応した画面から再生を開始することを特徴とする再生装置。
【請求項９】
請求項７において、動画を静止させた状態で、軌跡上の点を移動させることによって、再生画面がその移動した場所に対応した静止画を表示することを特徴とする再生装置。
【発明の詳細な説明】
【技術分野】
【０００１】
本発明は、位置情報をもった動画データを再生する装置に関するものである。
【背景技術】
【０００２】
近年、ＧＰＳ（Ｇｌｏｂａｌ  Ｐｏｓｉｔｉｏｎｉｎｇ  Ｓｙｓｔｅｍ）などの位置を検出するセンサが発達してきており、特許文献１の様に、位置情報を地図上の情報として動画に関連付ける提案がされてきている。
【０００３】
また、この地図上の位置情報を指定して再生をするようなものが提案されている。
【特許文献１】特開平１０−２５４７４６号
【発明の開示】
【発明が解決しようとする課題】
【０００４】
位置情報を指定して再生するだけでは、現在再生されている位置がどのような位置でどのように移動してきたかがわからない。また、再生位置を決めるために撮影位置を地図上に表示するので地図情報をもたなければならないので記憶情報が増えてしまう。
【０００５】
本発明は、以上の点に着目して成されたもので、再生中の画像がどのような場所でどのように移動しながら撮影されたのか認識する再生装置を提供することを目的とする。
【課題を解決するための手段】
【０００６】
この発明は下記の構成を備えることにより上記課題を解決できるものである。
【０００７】
（１）撮影時の位置情報を持った動画データを再生する装置において、位置情報をもとに軌跡情報を作成して画面上に撮影時の軌跡画像を表示することを特徴とする再生装置。
【０００８】
（２）前記（１）において、軌跡画面を再生画面上の一部の領域に表示することを特徴とする再生装置。
【０００９】
（３）前記（１）において、軌跡画面を再生画面上に半透明にして表示することを特徴とする再生装置。
【００１０】
（４）前記（１）において、軌跡画面を再生画面上に合成にして表示することを特徴とする再生装置。
【００１１】
（５）前記（１）において、再生画面と軌跡画面を切り替えて表示することを特徴とする再生装置。
【００１２】
（６）前記（１）において、動画再生時に再生している場所を軌跡上の点に対応した点を表示することを特徴とする再生装置。
【００１３】
（７）前記（６）において、動画を静止させた時に、動画を静止させた場所に対応した軌跡上の点を表示することを特徴とする再生装置。
【００１４】
（８）前記（６）において、動画再生中に表示されている動画再生に対応した軌跡上の点を移動させる手段をもっていて、その軌跡上の点を移動させるとその移動させた点に対応した画面から再生を開始することを特徴とする再生装置。
【００１５】
（９）前記（７）において、動画を静止させた状態で、軌跡上の点を移動させることによって、再生画面がその移動した場所に対応した静止画を表示することを特徴とする再生装置。
【発明の効果】
【００１６】
本発明によれば、請求項１にあるように動画再生画面上に撮影時の軌跡が表示されるので、撮影者がどのように移動したのかが把握できるという効果がある。また、請求項２、請求項３、請求項４、請求項５にあるような画面構成をとることによって、再生画面を見る者に軌跡をわかりやすく表示される構成になっている。請求項６にあるように動画再生時に再生している場所と軌跡上の点を対応させることによって、現在再生している場所が把握しやすくなるという効果がある。また、請求項７にあるように動画を静止させた場合に、静止させた場所の軌跡上の点を表示することによって、静止させた場所を把握しやすくなるという効果がある。
【００１７】
請求項８にあるように、動画再生中に軌跡上の点を移動させて移動した場所に対応した点から再生を始めることによって、操作する人の見たい画面から見ることができるという効果がある。また、請求項９にあるように、動画を静止させた状態で、軌跡上の点を移動させると移動した軌跡の点に対応した静止画が表示されるので操作する人の見たい画面から見ることができるという効果がある。
【発明を実施するための最良の形態】
【００１８】
以下本発明を実施するための最良の形態を、実施例により詳しく説明する。
【実施例】
【００１９】
以下に本発明の一実施例を説明していく。本発明の構成として図１にあるように１の記録媒体から動画のデータを２の動画ブロックに読み込みことができ、また、１の記憶媒体から位置データを３の軌跡作成ブロックに読み込むことができるようになっている。この軌跡作成ブロック３において位置データ（位置データとは、動画を撮影した時の撮影した位置のデータである。）から軌跡データを作成して５の画面作成ブロックにデータを転送する。外部から入力装置６に対して入力を与えて入力装置６はその入力に対して画面作成ブロック５に画面表示の支持を与える。画面構成ブロック５は動画再生ブロック２、軌跡表示ブロック４と入力装置６からのデータをもとに画面表示信号を表示装置７に送り画面を表示する。
【００２０】
記録媒体１は、図２にあるように動画のフレームデータ１に対してそのフレームに対する位置データ１を持っている。このようにフレーム毎に位置データを持っているデータが記録されている。
【００２１】
次に、データの処理について図３のフローチャートを用いて説明していく。はじめにＳ１でｎの値を０とする。次に記録媒体に記録されている位置データｎをＳ２で読み込みを行う。Ｓ３においてデータの読み込みが初めてかを判断するためにｎの値が１かどうかを判断して、はじめての読み込みの場合はｎの値が１なので、Ｓ３でｎの値に１を加えるという処理をはじめの読み込みの場合には行う。Ｓ５において位置データｎ−１から位置データｎで撮影した場所が移動した軌跡を求めるために位置データｎ−１と位置データｎの差を求めて移動したベクトルを求める。Ｓ６においてｎの値に１を加えておく。Ｓ７において位置データが記録媒体に記録されている最後のデータかを判断する。ここで、位置データが最後でない時には、Ｓ２に戻り位置データが最後になるまでＳ２、Ｓ３、Ｓ５、Ｓ６、Ｓ７の処理を繰り返しそれぞれの移動ベクトルを求める。位置データすべてに対して移動ベクトルを求めたらＳ８において、この移動ベクトルを用いて軌跡を求めて画面に軌跡を表示できる画像を作成しておく。Ｓ９からは、動画を再生する場合の処理になる。Ｓ９でフレームデータを読み出しＳ１０において動画の画像データを作成する。このＳ９とＳ１０の処理と同時にＳ１１で位置データを読み出し、Ｓ１２においてＳ１１で読み出した位置データがＳ８で求めた軌跡上のどこにあるかを求め、軌跡画面上のどこにあるかの画像を作成しておく。これらのＳ１０、Ｓ１２を用いてＳ１３において動画再生画面を出力する。
【００２２】
次に本発明の画面構成について図４を用いて説明していく。再生画面８において画面全体に動画再生画面を表示して、画面上の一部に軌跡を表示するためのエリア９を作成してそのエリア９の中に動画撮影時の軌跡１０を表示する。また、動画の再生中にはその動画を再生しているフレームの位置データが軌跡１０上のどこにあるかをわかりやすい印１１を用いて表示させてやる。また、動画を途中で一時停止などをした場合にもその一時停止したフレームの位置データがある軌跡上に印を表示しておく。
【００２３】
図５（ａ）の軌跡表示領域の図を示す。この図の中の１２はポインタになっていて、このポイントを用いて軌跡上の印１５を１３や１４のような任意の位置に移動させることができるようになっている。図５（ｂ）がフレームＮ＝ａで、図５（ｃ）がフレームＮ＝ｂだとすると、動画を再生中にポインタ１２を用いて印１５を１３の位置に移動させた場合は、１３に対応した図５（ｂ）のフレームＮ＝ａから再生を行い、また、印１５を１４の位置に移動させた場合には、１４に対応した図５（ｃ）のフレームＮ＝ｂから再生を行う。このように印１５を軌跡上の任意の点に動かすことによってその軌跡上の任意の点から動画の再生を行うことができる。
【００２４】
また、動画を静止させた場合にも同様に、印１５を動かすとその点に対応する静止画像が表示できる。
【００２５】
画面構成の別の実施例として、図６にその構成を示した。再生画面と軌跡画面を同じ領域にして、軌跡画像を半透明にして再生画面の上に表示するような構成もある。また、軌跡画像を半透明でなく再生画面と合成して表示するような構成もある。
【００２６】
また、図７に示すように切り替えボタンのような切り替え手段によって再生画面と軌跡画面を切り替えられる構成もある。この場合、軌跡画面で動画を再生すると印は軌跡上をフレームにあわせて移動していく。
【図面の簡単な説明】
【００２７】
【図１】本発明の一実施形態のブロック図である。
【図２】本発明の記憶形式例の説明図である。
【図３】本発明の一実施形態のフローチャートである。
【図４】本発明の一実施形態の画面構成を示す図である。
【図５】本発明の画面構成の説明図である。
【図６】本発明の一実施形態の画面構成を示す図である。
【図７】本発明の一実施形態の画面構成を示す図である。
【符号の説明】
【００２８】
１  記録媒体
２  動画ブロック
３  軌跡作成ブロック
４  軌跡表示ブロック
５  画面構成ブロック
６  入力装置
７  表示装置
８  再生画面
９  エリア
１０  軌跡
１２  ポインタ
【図１】
2005236374.tif 000003
【図２】
2005236374.tif 000004
【図３】
2005236374.tif 000005
【図４】
2005236374.tif 000006
【図５】
2005236374.tif 000007
【図６】
2005236374.tif 000008
【図７】
2005236374.tif 000009